【手続補正書】
【提出日】平成20年8月7日(2008.8.7)
【手続補正１】
【補正対象書類名】明細書
【補正対象項目名】特許請求の範囲
【補正方法】変更
【補正の内容】
【特許請求の範囲】
【請求項１】受動中継器システムであって，
磁束場を有するRFID読み取り器と，
少なくとも一つのRFIDタグと，
少なくとも一つの実質的に連続した受動ループを有する少なくとも一つの受動中継器部材と，
を有し，
前記RFIDタグは第一の動作周波数を有し，
前記受動ループは，前記RFID読み取り器および前記RFIDタグを結合するために前記RFID読み取り器および前記RFIDタグに関して調節して配置することができ，
前記受動中継器部材は，前記磁束場を向け直すために，前記RFID読み取り器および前記RFIDタグに関して調節して配置することができる，
ところの受動中継器システム。
【請求項２】前記受動中継器部材は前記磁束場の範囲を拡張する，請求項１に記載の受動中継器システム。
【請求項３】前記受動ループは前記RFID読み取り器および前記RFIDタグを磁気的に結合する，請求項１に記載の受動中継器システム。
【請求項４】前記受動ループは，前記第一の動作周波数に実質的に等しい電気容量およびインダクタンスをもつ，請求項１に記載の受動中継器システム。
【請求項５】中に配置される少なくとも一つの物品を有する，製品コンテナのための受動中継器システムであって，
磁束場を有するRFID読み取り器と，
前記物品に取り付けられる少なくとも一つのRFIDタグと，
少なくとも一つの受動中継器部材と，
を有し，
前記受動中継器部材は，前記製品コンテナ上に配置され，前記受動中継器部材は，少なくとも一つの実質的に連続した受動ループを含み，該受動ループは，前記RFID読み取り器および前記RFIDタグを結合するために前記RFID読み取り器および前記RFIDタグに関して調節して配置することができ，
前記受動中継器部材は，前記磁束場を向け直すために，前記RFID読み取り器および前記RFIDタグに関して調節して配置することができる，
ところの受動中継器システム。
【請求項６】前記受動中継器部材は，前記製品コンテナに実質的に埋設される，請求項５に記載の受動中継器システム。
【請求項７】輸送手段上に配置される複数の製品コンテナのための受動中継器システムであって，
磁束場を有するRFID読み取り器と，
前記製品コンテナの少なくとも一つの上に，個別に配置される少なくとも一つのRFIDタグと，
少なくとも一つの受動中継器部材と，
を有し，
前記受動中継器部材は，前記複数の製品コンテナの近傍に配置され，前記受動中継器部材は，少なくとも一つの実質的に連続した受動ループを含み，該受動ループは，前記RFID読み取り器および前記RFIDタグを結合するために前記RFID読み取り器および前記RFIDタグに関して調節して配置することができ，前記受動中継器部材は，前記磁束場を向け直すために，前記RFID読み取り器および前記RFIDタグに関して調節して配置することができる，
ところの受動中継器システム。
【請求項８】前記受動中継器部材は前記複数の製品コンテナ内に配置される，請求項７に記載の受動中継器システム。
【請求項９】前記受動中継器部材は前記複数の製品コンテナと前記輸送手段との間に配置される，請求項７に記載の受動中継器システム。
【請求項１０】前記受動中継器部材は前記輸送手段に埋設される，請求項７に記載の受動中継器システム。
【請求項１１】床部分および少なくとも二つの側壁を有し，内部区分を有する製品キャリアであって，少なくとも一つの品物が，前記製品キャリアの内部区分内に配置されるところの製品キャリアのための受動中継器システムであって，
磁束場を有するRFID読み取り器と，
前記品物の上に配置される少なくとも一つのRFIDタグと，
少なくとも第一の受動中継器部材と，
を有し，
前記第一の受動中継器部材は，前記製品キャリアの内部区分に配置され，前記第一の受動中継器部材は，第一の実質的に連続した受動ループを含み，該第一の受動ループは，前記RFID読み取り器および前記RFIDタグを結合するために前記RFID読み取り器および前記RFIDタグに関して調節して配置することができ，前記受動中継器部材は，前記磁束場を向け直すために，前記RFID読み取り器および前記RFIDタグに関して調節して配置することができる，
ところの受動中継器システム。
【請求項１２】当該受動中継器システムは第二および第三の受動中継器部材を含み，第二の受動中継器部材は第二の受動ループを含み，前記第三の受動中継器部材は第三の受動ループを含み，前記第二および第三の受動ループは，前記RFID読み取り器および前記RFIDタグを結合するために，前記第一の受動ループ，前記RFID読み取り器およびタグに関して調節して配置することができる，請求項１１に記載の受動中継器システム。
【請求項１３】前記第二の受動中継器部材は前記製品キャリアの内部区分で，前記製品キャリアの側壁の一つの近傍に配置され，前記第三の受動中継器部材は，前記製品キャリアの内部区分で，前記製品キャリアの他の一つの側壁の近傍に配置される，請求項１２に記載の受動中継器システム。
【請求項１４】前記第二の受動中継器部材は前記製品キャリアの内部区分で，前記製品キャリアの側壁の一つの近傍に配置され，前記第三の受動中継器部材は，前記製品キャリアの内部区分で，前記床部分の近傍に配置される，請求項１２に記載の受動中継器システム。
【請求項１５】当該受動中継器システムは第四の受動ループを有し，該第四の受動ループは，前記RFID読み取り器および前記RFIDタグを結合するために，前記第一，第二および第三の受動ループ，および前記RFID読み取り器およびRFIDタグに関して調節して配置することができる，請求項１５に記載の受動中継器システム。
【請求項１６】前記第四の受動ループは前記製品キャリアの，選択された一つの側壁上に配置される，請求項１５に記載の受動中継器システム。
【請求項１７】前記第四の受動ループは前記製品キャリアの，選択された一つの側壁に実質的に埋設される，請求項１２に記載の受動中継器システム。
【請求項１８】前記受動中継器部材は前記磁束場の範囲を拡張する，請求項５に記載の受動中継器システム。
【請求項１９】前記受動ループはループ領域面積を画成する，請求項５に記載の受動中継器システム。
【請求項２０】前記ループ領域面積は，1.0平方インチから400平方フィートの範囲にある，請求項１９に記載の受動中継器システム。
【請求項２１】前記受動中継器部材は前記磁束場の範囲を拡張する，請求項７に記載の受動中継器システム。
【請求項２２】前記受動中継器部材は前記複数の製品コンテナに近接して配置される，請求項７に記載の受動中継器システム。
【請求項２３】前記受動ループはループ領域面積を画成する，請求項７に記載の受動中継器システム。
【請求項２４】前記ループ領域面積は，1.0平方インチから400平方フィートの範囲にある，請求項２３に記載の受動中継器システム。
【請求項２５】前記第一の受動中継器部材は前記磁束場の範囲を拡張する，請求項１１に記載の受動中継器システム。
【請求項２６】前記品物は製品コンテナである，請求項１１に記載の受動中継器システム。
【請求項２７】前記品物は製品である，請求項１１に記載の受動中継器システム。
【請求項２８】前記第一，第二，第三および第四の受動ループのそれぞれはループ領域面積を画成する，請求項１１に記載の受動中継器システム。
【請求項２９】前記ループ領域面積は，1.0平方インチから400平方フィートの範囲にある，請求項２８に記載の受動中継器システム。
【請求項３０】前記第二および第三の受動中継器部材は前記磁束場を向け直す，請求項１２に記載の受動中継器システム。
【請求項３１】前記第二および第三の受動中継器部材は前記磁束場の範囲を拡張する，請求項１２に記載の受動中継器システム。
【請求項３２】受動中継器システムであって，
磁束場を有するRFID読み取り器と，
少なくとも一つのRFIDタグと，
少なくとも一つの実質的に連続した受動ループを有する少なくとも一つの受動中継器部材と，
を有し，
前記受動ループは，前記RFID読み取り器および前記RFIDタグを結合するために前記RFID読み取り器および前記RFIDタグに関して調節して配置することができ，
前記受動中継器部材は，前記磁束場の範囲を拡張するために，前記RFID読み取り器および前記RFIDタグに関して調節して配置することができる，
ところの受動中継器システム。
【請求項３３】受動中継器システムであって，
中に配置される少なくとの第一の物品を有する少なくとも一つの製品コンテナと，中に配置される少なくとも一つの物品を有する，製品コンテナのための受動中継器システムであって，
磁束場を有するRFID読み取り器と，
前記第一の物品に着脱自在に取り付けられる少なくとも一つのRFIDタグと，
少なくとも一つの受動中継器部材と，
を有し，
前記RFIDタグは，前記第一の物品から外され，少なくとも第二の物品に再度取り付けることができ，
前記受動中継器部材は，前記製品コンテナに取り付けられ，前記受動中継器部材は，前記RFID読み取り器および前記RFIDタグを結合するために前記RFID読み取り器および前記RFIDタグに関して調節して配置することができる，実質的に連続した受動ループを含み，前記受動中継器部材は，前記磁束場を向け直すために，前記RFID読み取り器および前記RFIDタグに関して調節して配置することができる，
ところの受動中継器システム。
【請求項３４】前記受動中継器部材は前記磁束場の範囲を拡張する，請求項３３に記載の受動中継器システム。
【請求項３５】前記RFIDタグは前記製品コンテナに着脱自在に取り付けられる，請求項３３に記載の受動中継器システム。
【請求項３６】前記受動中継器部材は前記製品コンテナに埋設される，請求項３６に記載の受動中継器システム。
【請求項３７】前記受動中継器部材は前記製品コンテナの近傍に配置される，請求項３３に記載の受動中継器システム。